(57)【要約】【課題】  少数枚のテストプリントによって、連続プリントを行ったとき満足な定着画像が得られるか否かの判断を可能とする。【解決手段】  テストプリントモードを有する画像形成装置で、定着手段は、定着部材と、前記定着部材を加熱するための加熱源と、前記定着部材の温度を検知する温度センサと、前記加熱源のオン／オフおよび画像形成を制御する制御手段が設けられ、テストプリントモードにおける前記制御手段は、前記加熱源をオフする制御を行なうと共に、前記温度センサにて所定の温度以下であることを検知された場合には、画像形成を停止するように制御することを特徴とする。【選択図】        図４
2006011011.tif 000002
【特許請求の範囲】
【請求項１】
トナー像を形成する感光体と、前記感光体上に形成されたトナー像を用紙に転写する転写手段と、前記トナー像を担持した用紙を定着する定着手段とを備え、記憶手段に記憶された画像データにて画像を形成する通常プリントモードと、予め記憶手段に記憶された画像データにて画像を形成する第１テストプリントモードとを有する画像形成装置において、
前記定着手段は、定着部材と、前記定着部材を加熱するための加熱源と、前記定着部材の温度を検知する温度センサと、前記加熱源のオン／オフおよび画像形成を制御する制御手段が設けられ、
前記テストプリントモードにおける前記制御手段は、前記加熱源をオフする制御を行うと共に、前記温度センサにて所定の温度以下であることを検知された場合には、画像形成を停止するように制御することを特徴とする画像形成装置。
【請求項２】
トナー像を形成する感光体と、前記感光体上に形成されたトナー像を用紙に転写する転写手段と、前記トナー像を担持した用紙を定着する定着手段とを備え、記憶手段に記憶された画像読取装置やホスト装置から入力される画像データにて画像を形成する通常プリントモードと、予め記憶手段に記憶されているテストプリント用の常に装置が記憶している画像データにて画像を形成するテストプリントモードとを有する画像形成装置において、
前記定着手段は、加熱定着するための定着部材と、前記定着部材に圧接されてニップ部を形成する圧接部材と、前記定着部材の温度、前記圧接部材による圧接力、およびニップ部のニップ幅の少なくとも一つを制御する制御手段と、前記テストプリントモードにおける定着性の高低を選択するための選択手段と、が設けられ、
前記制御手段は、前記選択手段による選択情報に基づき、前記定着部材の温度、前記圧接部材による圧接力およびニップ部のニップ幅の少なくとも一つを変更するよう制御することを特徴とする画像形成装置。
【発明の詳細な説明】
【技術分野】
【０００１】
本発明は、電子写真方式によって画像形成を行う画像形成装置に係わり、特にトナー像を担持した記録紙に対して加熱定着を行う複写機、プリンタ、ファクシミリ等の画像形成装置、及びその制御方法に関する。
【背景技術】
【０００２】
画像形成装置では、回転する感光体上に帯電、像露光及び現像を行うことによってトナー像を形成し、形成された感光体上のトナー像を直接又は中間転写体を介して同期して搬送される記録紙上に転写し、トナー像を担持した記録紙は定着手段によって定着がなされ、機外に排出される。
【０００３】
定着手段としては、対向して回転する加熱回転体と加圧回転体とが用いられ、トナー像を担持した記録紙を定着手段によって挾持搬送する過程において、トナーを記録紙に融着させることによって定着が行われる。この場合、定着手段による定着性は、加熱回転体の表面温度や押圧状態にあるニップ長、押圧力、記録紙の搬送速度等に依存しているが、記録紙の種類によっても定着性は大きく変動する。
【０００４】
特許文献１には、テスト画像パターンを用い、定着温度を変えて定着を行い、加熱ローラの表面温度と用紙上のテスト画像のパターンの光沢との関係を求め、好ましい光沢が得られる加熱ローラの温度を記憶しておいて、同じ記録紙に画像形成を行うときは、記憶した温度によって定着を行うことによって、記録紙上のプリント画像の光沢度を希望する光沢度とする手段が記載されている。
【０００５】
特許文献２には、記録紙に対して適切とする定着温度を設定するのに、目標温度変更モードを設定し、この変更モードに従って設定された最低値の定着温度を順次上昇させて、適当な定着がなされた定着温度をもって目標温度値として設定し、記録紙の種類が変化したときの定着不良の発生を防止する手段が記載されている。
【０００６】
印字を行う記録紙上に希望する良質の画像を得る手段として、テストプリントモードを設けて用いる記録紙に対して、テスト画像パターンの定着を各種行い適当とする定着条件を求め、求めた定着条件で画像形成を行うこともなされるようになって来た。
【特許文献１】特開２００２−２１４９６４号公報
【特許文献２】特開平１０−２６８６９６号公報
【発明の開示】
【発明が解決しようとする課題】
【０００７】
テストプリントモードでは、ユーザーが使用しようとする記録紙について、転写条件や定着条件を種々変更し、希望する定着画像が得られる条件を求めることとなる。この場合ユーザが使用したい記録紙に対して１枚のテストプリントによって良好な定着画像が得られても、このテストプリントモードでの定着条件で多数枚の連続プリントを行うときは、定着温度が最初のプリント時に較べて低下し、定着アンダーになることもある。かと言ってテストプリントモードの時に多数枚のプリントを行うことは、多数の記録紙の無駄を生じてしまう。
【０００８】
本発明は使用しようとする記録紙について、少数枚のテストプリントモードでのプリントを行うことによって、多数枚の連続プリントを行っても、多数枚すべてについて、満足な定着画像が得られる否かの判断を可能とした画像形成装置を提供することを第１の目的とする。
【０００９】
また、ユーザが使用したい記録紙を用いてテストプリントモードでテストを行う際、テスト結果からユーザが希望する定着性あるいは光沢が得られるようにするには、如何様に対応したらよいかという問題がある。本発明は、テストプリントモードの定着画像からユーザが希望する定着画像が自動的に形成される条件を導き出されるようにした画像形成装置を提供することを第２の目的とする。
【課題を解決するための手段】
【００１０】
前記の課題を解決し、かつ第１の目的を達成するために、本発明は以下のように構成されている。
（請求項１）
トナー像を形成する感光体と、前記感光体上に形成されたトナー像を用紙に転写する転写手段と、前記トナー像を担持した用紙を定着する定着手段とを備え、記憶手段に記憶された画像データにて画像を形成する通常プリントモードと、予め記憶手段に記憶された画像データにて画像を形成する第１テストプリントモードとを有する画像形成装置において、前記定着手段は、定着部材と、前記定着部材を加熱するための加熱源と、前記定着部材の温度を検知する温度センサと、前記加熱源のオン／オフおよび画像形成を制御する制御手段が設けられ、
前記テストプリントモードにおける前記制御手段は、前記加熱源をオフする制御を行うと共に、前記温度センサにて所定の温度以下であることを検知された場合には、画像形成を停止するように制御することを特徴とする画像形成装置。
【００１１】
また、第２の目的を達成するために、本発明は以下のように構成している。
（請求項２）
トナー像を形成する感光体と、前記感光体上に形成されたトナー像を用紙に転写する転写手段と、前記トナー像を担持した用紙を定着する定着手段とを備え、記憶手段に記憶された画像読取装置やホスト装置から入力される画像データにて画像を形成する通常プリントモードと、予め記憶手段に記憶されているテストプリント用の常に装置が記憶している画像データにて画像を形成するテストプリントモードとを有する画像形成装置において、
前記定着手段は、加熱定着するための定着部材と、前記定着部材に圧接されてニップ部を形成する圧接部材と、前記定着部材の温度、前記圧接部材による圧接力、およびニップ部のニップ幅の少なくとも一つを制御する制御手段と、前記テストプリントモードにおける定着性の高低を選択するための選択手段と、が設けられ、
前記制御手段は、前記選択手段による選択情報に基づき、前記定着部材の温度、前記圧接部材による圧接力およびニップ部のニップ幅の少なくとも一つを変更するよう制御することを特徴とする画像形成装置。
【発明の効果】
【００１２】
本発明の請求項１記載によれば、使用しようとする記録紙について、少数枚のテストプリントでのプリントであっても、多数枚の連続プリントを行ったときの定着画像の状況が的確に把握されるので、この情報に基づいて画像形成を行うときは、多数枚のプリント総てについて満足される定着画像が得られることとなる。
【００１３】
本発明の請求項２記載によれば、ユーザが使用したい記録紙を用いてテストプリントモードでのテストプリントを行い、テスト結果からユーザが更に定着性あるいは光沢について、希望する方向の定着画像を得たいと思うとき、本発明は自動的に対応した希望する方向の定着画像が得られるような制御がなされて、ユーザは思案することなく、希望する定着画像が得られることとなる。
【発明を実施するための最良の形態】
【００１４】
以下、本願発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００１５】
（１）本発明にかかわる画像形成装置について、図１に示す概略断面図を用いて説明する。
【００１６】
図１において、１は電子写真感光体である感光体ドラムであって、感光体ドラム１は矢示の方向に所定の周速度で回転駆動されなから、その表面が帯電器２によってマイナスの所定の電位ＶＨに一様帯電される。
【００１７】
３は像露光手段としての露光装置で、図示しない記憶手段に記憶された画像読取装置やコンピュータ等のホスト装置から入力される画像情報の時系列デジタル画素信号に対応して変調されたレーザビームを出力する。一様帯電された感光体ドラム１表面は、このレーザビームによって走査露光される。これにより感光体ドラム１の露光部分は電位絶対値が低下して電位ＶＬとなり感光体ドラム１の表面に静電潜像が形成される。
【００１８】
現像器４は回転駆動される現像ローラ４ａを備えている。現像ローラ４ａは感光体ドラム１と対向して配置されており、その外周面にマイナスに帯電したトナーの薄層が形成される。現像ローラ４ａには、その絶対値が感光体ドラム１の電位ＶＨよりも小さく、電位ＶＬよりも大きいマイナスの現像バイアス電圧が印加されており、これにより現像ローラ４ａ上のトナーが感光体ドラム１の電位ＶＬ部分にのみ付着して反転現像が行われ、トナー像が形成される。
【００１９】
一方、給紙カセット２１又は手差し給紙トレイ２２から給送される転写材である記録紙Ｐは給紙ローラ２３とレジストローラ２４を経て、感光体ドラム１と帯電転写極５とで形成される転写領域へと感光体ドラム１の回転と同期した適切なタイミングで送られる。そして、感光体ドラム１上のトナー像は転写バイアスが印加された帯電転写極５により記録紙Ｐに転写される。
【００２０】
２５は定着紙ガイドで、トナー像が転写された記録紙Ｐを後に説明する定着装置７へと搬送し、定着装置７において記録紙Ｐ上に転写されたトナー像の定着がなされる。定着装置７を通過してトナー像の定着を終えた記録紙Ｐは排紙ローラ２６、２７を経て排紙トレイ２８上に排出される。
【００２１】
一方、記録紙Ｐが分離された後の感光体ドラム１は、その表面に付着した転写残トナー等の残留物の除去がクリーニング装置８によって行われ、クリーニングされた感光体ドラム１は繰り返し次の画像形成に供される。
【００２２】
なお、上記の画像形成装置の説明においては、モノクロ画像形成を行う装置について説明したが、本発明はカラー画像形成装置に対しても適用される。
【００２３】
（２）図２に示すのは、定着装置７の内部構成を説明するための模式図である。
【００２４】
図において、７１は可回転の加熱ローラで、金属円筒上にトナーに対して離型性を有するＰＦＡ（パーフルオロアルコキシ）チューブを被せたハードローラで、内側にはハロゲンヒータからなる加熱源７１ａが位置固定で設けられている。
【００２５】
７２は、加熱ローラ７１と圧接しながら接触点において同方向に回転する加圧ローラで、金属芯上にシリコンゴム層と更にその外側にＰＦＡチューブを被せたソフトローラである。加熱ローラ７１と加圧ローラ７２とが形成するニップ幅は本実施例では約１０ｍｍとしている。
【００２６】
７２ａは加圧ローラ７２の表面を短時間に加熱するための定着補助ローラで、ハロゲンランプ等の加熱源を内蔵し、ニップ部の上流側に位置していて、ウォーミングアップ時から加圧ローラ７２に当接し、ローラ表面を加熱する。７２ｂは加圧ローラ７２の表面を清掃するためのクリーニングローラで、ニップ部の下流側に位置している。
【００２７】
７３はクリーニング手段で、離型剤であるシリコンオイルを含浸させたクリーニングウェブＷの一端をロール軸７３ａに係止し、ロール軸７３ａ上に巻回することにより構成したウェブ元巻き７３ｂと、クリーニングウェブＷの他端を係止した巻き取りロール軸７３ｃと、クリーニングウェブＷを加熱ローラ７１表面に圧接する押圧ローラ７３ｄを主要素として構成している。
【００２８】
加圧ローラ７２，定着補助ローラ７２，クリーニングローラ７２ｂは図示しない枠板で一体化されており、かつ固定した側板に設けた支軸７４１を中心に回動するアーム７４２を介して位置規制されている。アーム７４２の回動運動は、加圧ローラ７２９の軸上に設けたベアリング７２ｄとベアリング７２ｄを受けるアーム７４２に設けた凹部とを介して加圧ローラ７２に伝達される。支軸７４１に回転支持されたアーム７４２の自由端は圧縮バネ７４３と係合し、圧縮バネ７４３の下端を支えるカム７４４の姿勢位置によって、加圧ローラ７２の加熱ローラ７１への圧接力とニップ幅が変化する。
【００２９】
また、加熱ローラ７１ａの周囲近傍には非接触型の温度検知手段として温度センサＴＳ１が配置されていて、加熱ローラ７１の表面温度の検知を行っている。そして、次に説明する制御部は通常プリントモードにあっては、温度センサＴＳ１の検知温度に基づいて加熱ローラ７１の加熱源７１のＯＮ／ＯＦＦ制御を、予め設定された定着上限温度ＴＨＨと、定着下限温度ＴＨＬとの間の定着温度を保つよう制御を行っている。なお定着下限温度ＴＨＬは画像形成装置が推奨する標準的な記録紙に対して良好な定着が保証される実験によって求められた下限の定着温度である。
【００３０】
（３）図３には電気制御系の概要を示している。１１は演算制御処理を行うＣＰＵで、ＲＡＭ１１１、ＲＯＭ１１２、不揮発メモリ１１３が接続している。ＲＯＭ１１２には、演算基礎データをはじめ、通常プリントモードプログラム、テストプリントモードプログラムを記憶し、不揮発メモリ１１３にはテストプリント用画像パターン等を記憶していて、ＣＰＵ１１はインターフェース１２を介して外部機器に接続されている。
【００３１】
インターフェース１２の入力側には、手差し給紙トレイ２２上に記録紙が載置されているか否かを検知する手差し部センサＳＴをはじめセンサ類が入力ポートに接続されている。またインターフェース１２の出力側には帯電制御駆動部、レーザ発光駆動部、現像バイアス駆動部、転写バイアス駆動部等から成る画像形成手段駆動部１２１の各々が出力ポートに接続されている。
【００３２】
インターフェース１２と定着手段７との間では、入力側には定着部の温度検知を行うヒートセンサＴＳ１が接続され、出力側には加熱源７１、ローラ圧接力の変更手段としてカム７４４の位置変更部が接続されている。
【００３３】
なお、定着手段７３がベルト定着器の場合には、ニップ変更手段として定着ベルトを押圧する押圧ローラの位置変更手段が出力側に設けられている。
【００３４】
図１に示した画像形成装置には、操作・表示部３０が設けられていて、タッチパネルによって表示入力される表示パネル３００、プリント動作の開始を指示するスタート釦３０１の他、使用記録紙のサイズを選択するサイズ選択釦や、記録紙のプリント枚数を指示するテンキーのほか、画像濃度を選択する画像濃度選択釦等が設けられ、本発明においては操作・表示部３０にモード設定ボタン３０２が設けられていて、通常プリントモード又はテストプリントモードによる画像形成を選択指示できるようになっている。勿論、常時は通常プリントモードとし、テストプリントモード時にのみこれを指示するよう構成することもなされる。
【００３５】
（４）通常プリントモード時における画像形成について説明する。
通常プリントを行うときは、ユーザは操作・表示部３０のモード設定ボタン３０２によって通常プリントモードを選択し、スタート釦３０１を押釦すると、ＣＰＵ１１はＲＯＭ１１２から通常プリントモードプログラムを呼び出し、呼び出したプログラムに従って画像形成の制御を行う。
【００３６】
ＣＰＵ１１は、画像メモリ１１４に記録された画像情報を呼び出し、帯電器２によって一様帯電されて回転する感光体ドラム１上に像露光手段３によって像露光を行って潜像を形成し、続いて現像ローラ４ａによって現像がなされてトナー像が形成される。
【００３７】
一方、ＣＰＵ１１は、操作・表示部３０で選択された記録紙サイズの記録紙を収納した給紙トレイ２１から記録紙Ｐを搬出するよう制御し、給紙ローラ２３によって給紙路を通って搬送を行い、レジストローラ２４に至って記録紙Ｐを一旦停止させたのち、感光体ドラム１上のトナー像と同期してレジストローラ２４は駆動回転して記録紙Ｐを搬送し、帯電転写極５においてトナー像の転写が行われる。
【００３８】
ＣＰＵ１１は、定着手段７の温度検知を行う温度センサＴＳ１からの温度情報に基づいてヒータ電源７０１のＯＮ／ＯＦＦ制御を行い、定着部の温度が所定の定着温度を維持するよう制御がなされる。
【００３９】
また、ＣＰＵ１１はユーザがスタート釦を押釦した直後に定着手段である加熱ローラ７１の回転を開始するよう制御を行い、トナー像を担持した記録紙Ｐは加熱ローラ７１と加圧ローラ７２によって挾持搬送される過程において定着が行われ、下流側に位置した排紙ローラ２６、２７によって排紙トレイ２８上に排紙される。
【００４０】
（５）請求項１の記載による本発明のテストプリントモード（１）時における画像形成について説明する。
【００４１】
テストプリントモード（１）によるテストプリントを行うときは、図４のフローチャートに示すように、ユーザは操作・表示部３０のモード設定ボタン３０２によってテストプリントモード（１）を選択し、本実施例においては手差し給紙トレイ２２上にユーザが使用を前提としてテストしたい記録紙Ｐ（Ｔ）を複数枚載置する。ＣＰＵ１１は、ＲＯＭ１１２からテストプリントモード（１）を呼び出したプログラムに従って画像形成を行う。
【００４２】
ユーザがスタート釦３０１を押釦すると、ＣＰＵ１１はセンサＳＴがＯＮ状態にあって記録紙Ｐ（Ｔ）が載置されているのを検知し、定着手段である加熱ローラ７１の回転を開始し、定着手段７の加熱源３１への通電を停止する。
【００４３】
ＣＰＵ１１は、不揮発性メモリ１１３に記録されたテストプリント用画像パタン（以下、テストパターンともいう）を呼び出し、感光体ドラム１上にテストパターン像を形成する。形成されたトナー像は手差し給紙トレイ２２から給紙される記録紙Ｐ（Ｔ）上に転写がなされ、トナー像を担持した記録紙Ｐ（Ｔ）は定着手段７を通過し定着がなされて排紙トレイ２８上に排出される。ＣＰＵ１１は記録紙Ｐ（Ｔ）が定着手段７を通過しているタイミングの時に温度センサＴＳ１による検出温度がプリント時の定着下限温度ＴＨＬ′以上であるか否かをチェックし、定着下限温度ＴＨＬ′以上であるときは上記のテストプリントを繰り返し実行し、温度センサＴＳ１による検出温度が定着下限温度ＴＨＬ′を下回ったときにテストプリントの終了とする。ここで、定着下限温度ＴＨＬ′は通常プリントモード時に連続プリントを行った時に予想される温度センサＴＳ１の最低温度であり、予め装置はこの値を記憶している。
【００４４】
テストプリントの最終がセンサＳＨを通過して所定時間通過後に加熱ローラ７１の回転を停止させ、かつ温度センサＴＳ１の値がＴＨＬとＴＨＨの間の値に戻るように加熱源７１ａを制御する。
【００４５】
図５には、連続プリントを行ったときの温度センサＴＳ１の検知温度の変動を示している。通常プリントモードでは、連続プリントを行うことによって定着温度は次第に低下し、定着下限温度ＴＨＬ′近くまで温度低下しながらプリントが継続される。一方、テストプリントモード（１）ではプリントのスタートと同時に加熱源３１への通電を停止するので、短時間内に定着下限温度ＴＨＬ′以下に低下し、図示した実施例では定着下限温度ＴＨＬ′以下となるまでに１Ｃ〜３Ｃのテストプリントが排紙トレイ２８上に排出される。
【００４６】
ユーザが使用を前提としてテストする記録紙Ｐ（Ｔ）について、僅か３枚のテストによって温度ＴＨＨから温度ＴＨＬ′までの定着温度範囲内での定着状態が確認できるので、もし１Ｃないし３Ｃのテスト結果が何れも良好であれば、記録紙Ｐ（Ｔ）について現状と同じ定着条件で連続定着を行っても良好な定着画像がなされることを示している。また、１Ｃないし３Ｃのテスト中何れか１枚について定着不良が認められるときは、記録紙Ｐ（Ｔ）についての定着条件を変更することが必要であることを示している。
【００４７】
（６）請求項２の記載による本発明のテストプリントモード（２）時における画像形成について説明する。テストプリントモード（２）は、テストプリントモード（１）によって得られたテストプリントを用いてこれを評価し、ユーザが希望する画質の定着画像が得られるようにする画像調整プログラムである。
【００４８】
テストプリントモード（２）によるテストプリントを行うときは、ユーザは操作・表示部３０のモード設定３０２によってテストプリントモード（２）を選択する。ＣＰＵ１１はテストプリントモード（２）が選択されたのを検知すると、タッチパネル３００に図６（ａ）に示すように「手差しトレイ上にテストする記録紙を載置して下さい。載置が終わったらスタート釦を押釦して下さい」の表示を行う。
【００４９】
ＣＰＵ１１は、センサＳＴがＯＮ状態にあって、スタート釦３０１が押釦されたのを検知すると、加熱源３１への通電を停止し、テストプリントを実施する。
【００５０】
即ちＣＰＵ１１は、不揮発性メモリ１１３からテストパタンーンを呼び出し、感光体ドラム１上にテストパターンのトナー像を形成し、手差し給紙トレイ２２から給紙されるテスト用の記録紙Ｐ（Ｔ）上にトナー像の転写を行い、トナー像を担持した記録紙Ｐ（Ｔ）が定着手段７によって定着がなされたのち、排紙するよう制御を行う。このテストプリントは連続し繰り返し行われるがＣＰＵ１１はこの間温度センサＴＳ１による検出温度をチェックし、検出温度がプリント時の定着下限温度ＴＨＬ′を下回ったときにテストプリントを終了する。
【００５１】
上記のテストプリントが終了した時点で、ＣＰＵ１１はタッチパネル３００に図６（ｂ）に示すように「テストプリント結果は満足の状態にありましたか。調整を要しますか。」の質問を表示する。
【００５２】
ユーザが「満足」を入力したときは、ＣＰＵ１１は定着手段７の定着条件はそのまま維持する制御を行う。この場合、ユーザが記録紙Ｐ（Ｔ）について連続プリントを行っても、満足の得られる定着画像がプリントされる。
【００５３】
ユーザが「調整」を入力したときは、ＣＰＵ１１はタッチパネル３００に図６（Ｃ）示す画面の表示を行い、定着性或いは光沢について、ユーザの要望を問う形となる。ユーザが例えば画像光沢を上げたい場合には「光沢を上げる」をタッチする。ＣＰＵ１１はこの要請に対して、例えば定着手段７の定着温度を、定着上限温度ＴＨＨ＋１０℃，定着下限温度ＴＨＬ＋１０℃に設定し、温度管理を行いながら図６（ｄ）に示すように「再度テストプリントを行います。スタート釦を押釦して下さい。」と表示する。
【００５４】
なお、例えば「光沢を上げる」との要請に対して、定着温度を高温に設定する以外に、ニップ部での押圧力を強くなるように変更し、或いはニップ幅を広くするように変更することもなされ、またこれらの変更を組み合わせて行うこともなされる。
【００５５】
ユーザがスタート釦３０１を押釦すると、ＣＰＵ１１はこれを検出し、定着上限温度ＴＨＨ＋１０℃，定着下限温度ＴＨＬ＋１０℃に管理された定着手段７の加熱源３１への通電を停止し、２度目のテストプリントを実施する。
【００５６】
２度目のテストプリントが終了すると、ＣＰＵ１１はタッチパネル３００上に図６（ｂ）を示す表示を再度行う。
【００５７】
ユーザが「満足」を入力したときは、ＣＰＵ１１は定着手段７の定着条件を定着上限温度ＴＨＨ＋１０℃，定着下限温度ＴＨＬ＋１０℃に設定管理して、記録紙Ｐ（Ｔ）の連続プリントが良好に行われる条件が設定される。
【００５８】
また、ユーザが「調整」を入力したときは、ＣＰＵ１１は再度タッチパネル３００に図６（ｃ）に示す画面の表示を行う。ユーザが再度「光沢を上げる」をタッチすると、ＣＰＵ１１は定着手段７の定着温度を、定着上限温度ＴＨＨ＋２０℃，定着下限温度ＴＨＬ＋２０℃に設定し、温度管理を行いなから、図６（ｄ）に示す表示を行う。取消ボタンを押した時は図６（ｂ）に戻る。
【００５９】
なお、このような繰り返しにより、新たに設定する定着上限温度ＴＨＨ＋αが、予め記憶されている許容上限定着温度を超える場合は、定着上限温度を許容される許容上限温度以下に設定し、他の因子、例えばニップ部の押圧力，ニップ幅，プロセス速度などを変えて光沢を上げる方向に条件を変更していく。なお、定着温度、押圧力、ニップ幅、プロセス速度（定着部材による用紙搬送速度）の変更に応じて定着下限温度ＴＨＬ′の値は異なり、この値も予め装置に記憶されている。このような定着条件を変更してのテストプリントによっても、ユーザ要望を満たす状態とならない場合には、ＣＰＵ１１はその旨（記録紙Ｐ（Ｔ）では希望する画像の光沢が本装置では得られない旨）をタッチパネル３００にメッセージを表示する。
【図面の簡単な説明】
【００６０】
【図１】画像形成装置の概略断面図。
【図２】定着装置の内部構成を説明するための模式図。
【図３】電気制御系の概要図。
【図４】テストプリントモード（１）のフローチャート。
【図５】温度センサによる検出温度の変動図。
【図６】テストプリントモード（２）でのタッチパネルの表示。
【符号の説明】
【００６１】
１  感光体ドラム
２  帯電器
３  露光装置
４  現像器
５  帯電転写極
７  定着手段、定着装置
１０  制御部
１１  ＣＰＵ
１２  インターフェース
２１  給紙カセット
２２  手差し給紙トレイ
２４  レジストローラ
２６、２７  排紙ローラ
３０  操作・表示部
７１  加熱ローラ
７２  加圧ローラ
７３  クリーニング手段
３００  タッチパネル
３０１  スタート釦
３０２  モード設定釦
ＴＳ１  温度センサ
【図１】
2006011011.tif 000003
【図２】
2006011011.tif 000004
【図３】
2006011011.tif 000005
【図４】
2006011011.tif 000006
【図５】
2006011011.tif 000007
【図６】
2006011011.tif 000008